(57)【特許請求の範囲】
【請求項１】
建築物に取り付けられる取付面を後側に有する取付体と、この取付体から前方に突設されて樋を保持する樋保持体と、を備え、同取付体がポリカーボネートで成形された樋支持具において、建築物側から悪影響が及ぶのを阻止するために取付面を覆うよう設けられる保護カバーを備え、この保護カバーを取付体に対して引っ掛け保持させる係止部を同保護カバーに形成し、取付体には建築物固定用の固定具が挿通される固定孔が設けられており、この固定孔と連通されるよう保護カバーの対応した位置に貫通孔を形成してなる樋支持具。
【請求項２】
保護カバーを建築物と取付面との間に介在されるよう薄板状に形成し、同保護カバーの上端縁から前方下方へと屈曲するよう延出されて取付体の上端部分に引っ掛けられる係止部を形成したことを特徴とする請求項１記載の樋支持具。
【請求項３】
保護カバーの下端に至る程度まで下方へ延出されるよう係止部を形成して、この係止部に樋保持体と係合される下方へ開口した凹所を形成し、同係止部にも固定孔と連通される貫通孔を形成したことを特徴とする請求項２記載の樋支持具。
【請求項４】
取付体と樋保持体とを透明なポリカーボネートで一体に成形したことを特徴とする請求項１〜３のいずれか一項記載の樋支持具。
【発明の詳細な説明】
【技術分野】
【０００１】
本願発明は、建築物に取り付けられる取付面を後側に有する取付体と、この取付体から前方に突設されて軒樋や竪樋等の樋を保持する樋保持体と、を備え、同取付体がポリカーボネートで成形された樋支持具に関するものである。
【背景技術】
【０００２】
従来から、図５に示すように、建築物Ａに取り付けられる取付面１を後側に有する取付体２と、この取付体２から前方に突設されて軒樋を保持する樋保持体４と、を備え、同取付体２がポリカーボネートで成形された樋支持具において、建築物Ａ側から悪影響が及ぶのを阻止するために取付面１を覆うよう設けられる保護カバー５を備えたものは知られている（特許文献１：特開平１０−１９６０７２号公報）。
【０００３】
この場合、取付体２が取り付けられる建築物Ａの鼻板１０がポリ塩化ビニル被覆鋼鈑で形成されていても、ポリ塩化ビニルに含まれる可塑剤は保護カバー５で遮断されてポリカーボネートで成形された取付体２へと移行せず、この取付体２に可塑剤との接触に伴うクラックが生じて強度が早期に低下してしまうという事態は起こらず、長期にわたって初期の取付強度が保たれるとされている。なお、取付体２が取り付けられる建築物Ａの鼻板１０がセメント系の材料で形成されている場合にも、この鼻板１０からのアルカリ移行が保護カバー５で遮断されて、同取付体２でのクラック発生は防止される。
【特許文献１】特開平１０−１９６０７２号公報
【発明の開示】
【発明が解決しようとする課題】
【０００４】
しかしながら、上記特許文献１に開示された従来例となる樋支持具においては、保護カバー５が膜状で取付面１に粘着剤で貼着保持されるものであり、この場合、保護カバー５をずれた位置に貼着してしまうと剥離し難いため、貼着時の保護カバー５と取付面１相互の位置合わせが難しく、しかも、粘着剤による貼着だけなので保護カバー５は取付面１に対して強固に保持されないものであった。また、取付体２には建築物固定用の打ち込み釘やビス等の固定具が挿通される固定孔８が設けられており、挿通される固定具は膜状の保護カバー５を突き破るものである。
【０００５】
本願発明は、上記背景技術に鑑みてなされたものであり、その課題は、保護カバーが取付体に対し引っ掛け保持されて、取付面は同保護カバーで簡単かつ確実に覆われ、建築物からの可塑剤移行やアルカリ移行に伴うクラック発生等の悪影響が阻止される樋支持具を提供することである。
【課題を解決するための手段】
【０００６】
上記課題を解決するために、本願発明の樋支持具は、建築物に取り付けられる取付面を後側に有する取付体と、この取付体から前方に突設されて樋を保持する樋保持体と、を備え、同取付体がポリカーボネートで成形された樋支持具において、建築物側から悪影響が及ぶのを阻止するために取付面を覆うよう設けられる保護カバーを備え、この保護カバーを取付体に対して引っ掛け保持させる係止部を同保護カバーに形成し、取付体には建築物固定用の固定具が挿通される固定孔が設けられており、この固定孔と連通されるよう保護カバーの対応した位置に貫通孔を形成してなる。
【発明の効果】
【０００７】
本願発明の樋支持具においては、取付体の後側の取付面が保護カバーで覆われることにより、建築物からの可塑剤移行やアルカリ移行に伴う同取付体でのクラック発生等の悪影響が阻止される。しかも、保護カバーは、これに形成される係止部で取付体に対して確実に引っ掛け保持され、取付面を正確に覆った状態で同取付体と建築物との間に簡単に介在配置される。
【発明を実施するための最良の形態】
【０００８】
図１〜図３は、本願請求項１〜４全てに対応した一実施形態である樋支持具を示している。この実施形態の樋支持具は、建築物Ａに取り付けられる取付面１を後側に有する取付体２と、この取付体２から前方に突設されて軒樋３を保持する樋保持体４と、を備えたものである。また、この実施形態の樋支持具では、取付体２と樋保持体４とが透明なポリカーボネートで一体に成形されている。そして、建築物Ａ側から悪影響が及ぶのを阻止するために取付面１を覆うよう設けられる保護カバー５を備え、この保護カバー５を取付体２に対して引っ掛け保持させる係止部６が同保護カバー５に形成し、取付体２には建築物Ａ固定用の固定具７が挿通される固定孔８が設けられており、この固定孔８と連通されるよう保護カバー５の対応した位置に貫通孔９が形成されている。
【０００９】
この場合、保護カバー５は建築物Ａと取付面１との間に介在されるよう薄板状に形成され、同保護カバー５の上端縁から前方下方へと屈曲するよう延出されて取付体２の上端部分に引っ掛けられる係止部６が形成されている。また、保護カバー５の下端に至る程度まで下方へ延出されるよう係止部６は形成されており、この係止部６に樋保持体４と係合される下方へ開口した凹所６１が形成され、同係止部６にも固定孔８と連通される貫通孔９が形成されている。
【００１０】
以下、この実施形態の樋支持具を、より具体的詳細に説明する。この実施形態の樋支持具は、図１に示すように、建築物Ａの軒先において軒樋３を保持するものであり、その取付体２が軒先の鼻板１０に打ち込み釘やビス等の固定具７で取り付けられる。ここで、鼻板１０がセメント系材料で形成されている場合にはアルカリ移行が問題となり、ポリ塩化ビニル被覆鋼鈑で形成されている場合には可塑剤移行が問題となるところ、この実施形態の樋支持具ではこれ等の問題が解消される。また、この実施形態の樋支持具は、全体が透明なポリカーボネートで一体に射出成形され、建築物Ａに取り付けられる取付体２と、この取付体２から前方に突設されて軒樋３を保持する樋保持体４と、を有している。
【００１１】
樋保持体４は、取付体２の前面に突設される基端部１１と、この基端部１１から前方に突出延設される本体バー部１２と、でなり、この本体バー部１２の前端部分には、縦片部１３が一体に形成されている。そして、本体バー部１２の後端部分で基端部１１の下側には、後耳保持部１４が形成され、縦片部１３の上端部分には、前耳保持部１５が形成されている。また、縦片部１３の中程には、前方へ略三角形状に突出した支持凸部１６が一体に形成されている。
【００１２】
軒樋３は合成樹脂や合成樹脂被覆金属板等でなり、底板部１７と、この底板部１７の前端に立設される前板部１８と、この前板部１８よりも低く同底板部１７の後端に立設される後板部１９と、で角樋状に形成されている。前板部１８及び後板部１９の各上端部分には、いずれも中空状の前耳部２０、後耳部２１が形成されている。また、前板部１８はその中程部分が前方へ膨らみ突出するように湾曲形成されており、この中程部分には内側へ略コ字状に屈曲した溝型部２２が形成されている。
【００１３】
そして、前記樋支持具の樋保持体４の前耳保持部１５及び後耳保持部１４に軒樋３の前耳部２０及び後耳部２１が各々係止されて、この軒樋３は同樋支持具の樋保持体４で吊り下げ保持される。その際、まず、前耳部２０の内側の溝状部分が突出片状の前耳保持部１５に引っ掛け係止され、その状態で、軒樋３はその後端部分が押し上げられるように回動されて、内側に突出した後耳部２１は後方斜め上方に突出した後耳保持部１４上に引っ掛け係止される。
【００１４】
この場合、軒樋３の底板部１７の前端付近が縦片部１３の下端部分に当止され、縦片部１３の支持凸部１６上に軒樋３の前板部１８の溝型部２２が係止されて、同軒樋３はがたつかないよう確実に吊り下げ保持される。また、樋支持具は全体が透明であるので、これを透して軒樋３を見やすく、施工し易いものである。しかも、樋支持具が透明であることで目立たず、軒樋３の長手方向において違和感を生じることなく、施工仕上がり外観は良好となる。
【００１５】
図３に示すように、樋支持具の取付体２は横長の長方形状で、その前面中程に樋保持体４の基端部１１が突設されている。樋保持体４の基端部１１両側で取付体２には、前記固定具７が挿通される固定孔８が上下対に配設されている。保護カバー５は取付体２の後側の取付面１と略同じ外形状で、横長の長方形状に形成されており、その中程に下方へ開口した凹部５１が形成されている。保護カバー５の上端縁には、前方下方へと屈曲するように延出された係止部６が形成されており、この係止部６は上片部６ａと前片部６ｂとでなっていて、保護カバー５と係止部６とは全体として薄板状で下方へ開口した略コ字型断面に形成されている。
【００１６】
保護カバー５と係止部６とは一体に形成されており、硬質のポリ塩化ビニル、ポリエチレン、ポリエステル等の成形品、或いは、金属板等でなり、アルカリ移行を阻止するものである。係止部６の前片部６ｂは保護カバー５と対応して略同じ外形状で、横長の長方形状に形成され、その中程に下方へ開口した凹所６１が形成されている。また、保護カバー５及び係止部６の前片部６ｂには、前記取付体２の固定孔８と対応して連通する貫通孔９が形成されている。
【００１７】
そして、係止部６は前記取付体２の上端部分に引っ掛けられるもので、その際、係止部６の上片部６ａが取付体２の上端部分の上に位置し、係止部６の前片部６ｂが取付体２の前面部分を覆い、保護カバー５が取付体２の後側の取付面１を覆い、保護カバー５と係止部６の前片部６ｂとが取付体２を挟持するようにして引っ掛け支持される。この場合、係止部６の前片部６ｂに形成される凹所６１が樋保持体４の基端部１１に係合されて、保護カバー５は取付体２に対して確実に取り付け支持される。
【００１８】
前記のように、施工の前に予め保護カバー５を取付体２に取り付け支持させておき、図１、２に示すように、樋支持具を建築物Ａの軒先の鼻板１０に打ち込み釘やビス等の固定具７で取り付けることができるものである。この場合、固定具７を、係止部６の前片部６ｂの貫通孔９、取付体２の固定孔８、保護カバー５の貫通孔９、にこの順で挿通させて鼻板１０に打ち付けるのであるが、その際、取付体２は係止部６の前片部６ｂ及び保護カバー５で前後から覆われ保護されており、打ち付け時の応力も緩和されて取付体２の破損が防止される。
【００１９】
したがって、この実施形態の樋支持具においては、取付体２の後側の取付面１が保護カバー５で覆われることにより、建築物Ａからの可塑剤移行やアルカリ移行に伴う同取付体２でのクラック発生等の悪影響が阻止される。しかも、保護カバー５は、これに形成される係止部６で取付体２に対して確実に引っ掛け保持されるので、取付面１を正確に覆った状態で同取付体２と建築物Ａとの間に簡単に介在配置される。この場合、保護カバー５は薄板状に形成されており、建築物Ａと取付面１との間に嵩張らないよう強固に挟持されて介在される。更に、係止部６は保護カバー５の上端縁から前方下方へと屈曲するように延出して形成されているので、取付体２の上端部分に対して外れないよう確実に引っ掛け係止される。
【００２０】
また、この実施形態の樋支持具においては、取付体２に建築物Ａ固定用の固定具７が挿通される固定孔８が設けられており、この固定孔８と連通されるよう保護カバー５の対応した位置に貫通孔９が形成されているので、固定孔８と貫通孔９とに固定具７が挿通されることにより、保護カバー５はその位置ずれが防止されて取付面１に対しより正確に配置される。この場合、保護カバー５の下端に至る程度まで下方へ延出されるように、係止部６の前片部６ｂは下方へ長く形成されているので、保護カバー５と係止部６の前片部６ｂとが取付体２を挟持するようにして強固に引っ掛け支持される。しかも、係止部６の前片部６ｂに下方へ開口した凹所６１が形成されているので、凹所６１が樋保持体４の基端部１１に係合されて、保護カバー５は取付体２に対してより確実に取り付け支持される。
【００２１】
更に、この場合には、係止部６の前片部６ｂにも固定孔８と連通される貫通孔９が形成されており、固定具７を鼻板１０に打ち付ける際に、取付体２は係止部６の前片部６ｂ及び保護カバー５で前後から覆われ保護されており、固定孔８、貫通孔９付近における打ち付け時の応力も緩和されて取付体２の破損が防止される。また、この実施形態の樋支持具においては、取付体２と樋保持体４とが透明なポリカーボネートで一体に成形されているので、これを透して軒樋３を見やすく施工し易いものであり、しかも、透明であることで目立たず、施工仕上がり外観は違和感を生じることなく良好となる。
【００２２】
図４は、本願請求項１〜２、４に対応した別の実施形態である樋支持具を示している。この実施形態の樋支持具においては、係止部６の前片部６ｂが保護カバー５の下端に至る程度まで長くは下方へ延出されておらず、前片部６ｂは取付体２の固定孔８を覆うことがなくて、同前片部６ｂには貫通孔９が形成されていない。なお、それ以外は、上記実施形態と同様に構成されており、請求項３に係る以外の作用効果が上記実施形態におけると同様に奏される。
【図面の簡単な説明】
【００２３】
【図１】本願発明の一実施形態である樋支持具の施工状態を示す側面図。
【図２】同樋支持具の施工状態の要部を示す断面図。
【図３】同樋支持具を示す分解斜視図。
【図４】本願発明の別の実施形態である樋支持具の要部を示す分解斜視図。
【図５】従来例である樋支持具の要部を示し、（ａ）は樋支持具の分解斜視図、（ｂ）はその施工状態の断面図。
【符号の説明】
【００２４】
１  取付面
２  取付体
３  軒樋
４  樋保持体
５  保護カバー
６  係止部
６１  凹所
７  固定具
８  固定孔
９  貫通孔
Ａ  建築物
【図１】
0004696867.tif 000002
【図２】
0004696867.tif 000003
【図３】
0004696867.tif 000004
【図４】
0004696867.tif 000005
【図５】
0004696867.tif 000006